(57)【要約】【課題】装身具が動いたときに装身具の向きによらず装飾部材を揺動させること。【解決手段】受け部材１１には、装飾部材３が取り付けられる。固定部材１３は、指輪１の本体２に対して固定される。固定部材１３は環状部１３２を備え、環状部１３２は、受け部材１１と連結される。ただし、受け部材１１は、環状部１３２に対する相対的な位置が固定されていない。バネ１２は、環状部１３２の周囲を囲み、一方の端部１２２が本体２に対して固定され、他方の端部１２１が受け部材１１に接触するように設けられている。このように設けられることで、バネ１２及び固定部材１３は、装飾部材３が取り付けられた受け部材１１を揺動可能に支持する。【選択図】図３
2018086181.tif 000002
【特許請求の範囲】
【請求項１】
装身具を装飾する装飾部材が取り付けられる受け部材と、
前記受け部材を揺動可能に支持する弾性部材であって、一端が前記装身具の本体に対して固定され、他端が前記受け部材に接触する弾性部材と
を備える支持ユニット。
【請求項２】
前記本体に対して固定される固定部材であって、前記受け部材が搖動可能な状態で当該受け部材と連結される連結部を有する固定部材を備え、
前記受け部材は、前記連結部と連結されることで当該連結部からの距離が制限され、
前記弾性部材は、前記連結部の周囲を囲んで設けられる
請求項１に記載の支持ユニット。
【請求項３】
前記固定部材は、前記弾性部材の中心に配置される棒状部を有し、当該棒状部の一端に前記連結部を有する
請求項２に記載の支持ユニット。
【請求項４】
前記連結部は、前記受け部材が揺動する方向によって振幅を異ならせるように当該受け部材と連結されている
請求項２又は３に記載の支持ユニット。
【請求項５】
前記受け部材は、第１環状部を有し、
前記連結部は、前記第１環状部と鎖状に繋げられた第２環状部を有する
請求項４に記載の支持ユニット。
【請求項６】
前記連結部に一端が接続され、他端が前記受け部材に接続される紐状部材を備える
請求項２又は３に記載の支持ユニット。
【請求項７】
前記弾性部材は、前記受け部材に固定されていない
請求項１から６のいずれか１項に記載の支持ユニット。
【請求項８】
前記弾性部材は、前記装飾部材が取り付けられた前記受け部材を、当該受け部材が揺動する方向によって振幅が異なるように支持する
請求項１から７のいずれか１項に記載の支持ユニット。
【請求項９】
装身具を装飾する装飾部材が取り付けられる受け部材と、前記受け部材を揺動可能に支持する弾性部材であって、一端が前記装身具の本体に対して固定され、他端が前記受け部材に接触する弾性部材とを備える支持ユニットと、
前記支持ユニットの前記受け部材に取り付けられている装飾部材と、
前記支持ユニットが取り付けられている本体と
を備える装身具。
【請求項１０】
前記本体には第１の前記支持ユニット及び第２の前記支持ユニットが取り付けられており、
前記第１の支持ユニット及び前記第２の支持ユニットが備える前記受け部材は、揺動する方向によって振幅が異なるように支持され、
前記第１の支持ユニットの前記受け部材が揺動するときの振幅が最大となる方向と、前記第２の支持ユニットにおける当該方向とが異なる
請求項９に記載の装身具。
【発明の詳細な説明】
【技術分野】
【０００１】
本発明は、装飾部材を支持する技術に関する。
【背景技術】
【０００２】
宝石等の装飾部材を支持する技術として、特許文献１には、装身具（ペンダント）の枠組部材に固定した２つの丸カンに、宝石部の左右にそれぞれ固定された２つの丸カンをそれぞれ係合させて宝石を支持する技術が記載されている。
【先行技術文献】
【特許文献】
【０００３】
【特許文献１】特開２０１３−２２６４６２号公報
【発明の概要】
【発明が解決しようとする課題】
【０００４】
特許文献１の発明では、宝石部に固定された２つの丸カンが水平方向に並ぶ状態では、それらの丸カンが係合された箇所を支点にして宝石部を振り子のように一定の方向に大きく揺動させることができる。しかし、例えば２つの丸カンが鉛直方向に並ぶ状態になった場合には、宝石部が枠組部材と接触して宝石が揺れなくなることが起こり得る。
そこで、本発明は、装身具が動いたときに装身具の向きによらず装飾部材を揺動させることを目的とする。
【課題を解決するための手段】
【０００５】
本発明は、装身具を装飾する装飾部材が取り付けられる受け部材と、前記受け部材を揺動可能に支持する弾性部材であって、一端が前記装身具の本体に対して固定され、他端が前記受け部材に接触する弾性部材とを備える支持ユニットを提供する。
【０００６】
また、前記本体に対して固定される固定部材であって、前記受け部材が搖動可能な状態で当該受け部材と連結される連結部を有する固定部材を備え、前記受け部材は、前記連結部と連結されることで当該連結部からの距離が制限され、前記弾性部材は、前記連結部の周囲を囲んで設けられていてもよい。
【０００７】
また、前記固定部材は、前記弾性部材の中心に配置される棒状部を有し、当該棒状部の一端に前記連結部を有していてもよい。
さらに、前記連結部は、前記受け部材が揺動する方向によって振幅を異ならせるように当該受け部材と連結されていてもよい。
【０００８】
また、前記受け部材は、第１環状部を有し、前記連結部は、前記第１環状部と鎖状に繋げられた第２環状部を有していてもよい。
さらに、前記連結部に一端が接続され、他端が前記受け部材に接続される紐状部材を備えていてもよい。
【０００９】
また、前記弾性部材は、前記受け部材に固定されていなくてもよい。
さらに、前記弾性部材は、前記装飾部材が取り付けられた前記受け部材を、当該受け部材が揺動する方向によって振幅が異なるように支持していてもよい。
【００１０】
また、本発明は、装身具を装飾する装飾部材が取り付けられる受け部材と、前記受け部材を揺動可能に支持する弾性部材であって、一端が前記装身具の本体に対して固定され、他端が前記受け部材に接触する弾性部材とを備える支持ユニットと、前記支持ユニットの前記受け部材に取り付けられている装飾部材と、前記支持ユニットが取り付けられている本体とを備える装身具を提供する。
【００１１】
また、前記本体には第１の前記支持ユニット及び第２の前記支持ユニットが取り付けられており、前記第１の支持ユニット及び前記第２の支持ユニットが備える前記受け部材は、揺動する方向によって振幅が異なるように支持され、前記第１の支持ユニットの前記受け部材が揺動するときの振幅が最大となる方向と、前記第２の支持ユニットにおける当該方向とが異なっていてもよい。
【発明の効果】
【００１２】
本発明によれば、装身具が動いたときに装身具の向きによらず装飾部材を揺動させることができる。
【図面の簡単な説明】
【００１３】
【図１】第１実施例の指輪の外観を表す図
【図２】取り付け前の宝石支持ユニットを表す図
【図３】取り付け後の宝石支持ユニットを表す図
【図４】受け部材が揺動する様子の一例を表す図
【図５】環状部材を拡大して表す図
【図６】第２実施例の宝石支持ユニットを表す図
【図７】筒部への取り付け後の宝石支持ユニットを表す図
【図８】揺動する受け部材及び装飾部材を表す図
【図９】受け部材及び装飾部材の振幅の分布を表す図
【図１０】複数の宝石支持ユニットにおけるバネの配置を表す図
【図１１】変形例の装身具の一例を表す図
【図１２】変形例の宝石支持ユニットを表す図
【図１３】変形例の宝石支持ユニットを表す図
【図１４】変形例の宝石支持ユニットを表す図
【図１５】変形例の宝石支持ユニットを表す図
【発明を実施するための形態】
【００１４】
［１］第１実施例
図１は第１実施例の指輪１の外観を表す。指輪１は、装飾のために身につける工芸品、すなわち装身具（アクセサリーとも呼ばれる）である。指輪１は、本体２と、装飾部材３−１、３−２、３−３（以下区別しない場合は「装飾部材３」という）とを備える。
【００１５】
本体２は、人の指に嵌める大きさの輪の形に形成された部材である。本体２は、アーム２１と、筒部２２−１、２２−２、２２−３（以下区別しない場合は「筒部２２」という）とを備える。筒部２２は、筒の形に形成された部材である。指輪１においては、３つの筒部２２が１列に並べて繋げられており、これらの筒部２２とアーム２１とが繋がって輪の形になっている。各筒部２２の内部には、装飾部材３がそれぞれ配置されている。
【００１６】
装飾部材３は、装身具である指輪１を装飾する部材である。装飾部材３−１、３−２、３−３は、それぞれ、宝石４−１、４−２、４−３（以下区別しない場合は「宝石４」という）と、石枠５−１、５−２、５−３（以下区別しない場合は「石枠５」という）を備える。
【００１７】
宝石４は、ダイヤモンド、エメラルド、サファイア又はルビー等のカットされた装飾用の鉱物である。本実施例の宝石４は、ブリリアントカットの方式でカットされており、テーブル面及びクラウン部が筒部２２から露出するように配置されている。石枠５は、宝石４を取り巻く形をした部材であり、宝石４を固定する枠として機能する。
【００１８】
また、指輪１は、各筒部２２の内側に配置された部品である宝石支持ユニット１０−１、１０−２、１０−３（以下区別しない場合は「宝石支持ユニット１０」という）を備える。宝石支持ユニット１０は筒部２２の外側からは見えないため図１には表されていない。宝石支持ユニット１０は、筒部２２に取り付けられる部品であるとともに、装飾部材３が取り付けられる部品である。本体２は、複数の筒部２２を備えているから、本体２には、複数の宝石支持ユニット１０が取り付けられていることになる。宝石支持ユニット１０は本発明の「支持ユニット」の一例である。宝石支持ユニット１０について、図２及び図３を参照して説明する。
【００１９】
図２は取り付け前の宝石支持ユニット１０を表す。図３は取り付け後の宝石支持ユニット１０を表す。宝石支持ユニット１０は、受け部材１１と、バネ１２と、固定部材１３とを備える。受け部材１１は、装飾部材３、すなわち宝石４及び石枠５が取り付けられる部材である。石枠５は、宝石４を上から押さえる爪５１と宝石４の下側を取り巻く台座５２とを有する。台座５２は、宝石４のキューレット４１及びその周辺を覆わないように中央に孔部５２１を有する。受け部材１１には、台座５２の孔部５２１側の端部が固定されている。
【００２０】
受け部材１１は、円盤部１１１と、環状部１１２とを備える。円盤部１１１は、受け部材１１のうち円盤の形に形成された部分であり、一方の面の中央に、自部材に台座５２が固定されたときにキューレット４１が嵌め込まれる孔部を有する。環状部１１２は、受け部材１１のうち環の形（例えば真円又は楕円の環の形）に形成された部分であり、円盤部１１１の他方の面の中央に設けられている。円盤部１１１及び環状部１１２は、互いに一体となって形成されていてもよいし、別々に形成されて溶接等（溶接又は接着剤による接着等）により固定されていてもよい。
【００２１】
固定部材１３は、本体２に対して固定される部材である。固定部材１３は、棒状部１３１と、環状部１３２とを備える。棒状部１３１及び環状部１３２は、いずれも金属等で形成されており、受け部材１１に対して通常加わることが想定される力（例えば指輪１を嵌めた手を振り回したときに加わる遠心力や慣性の力など）では変形しない程度の剛性を有している。棒状部１３１は、棒の形に形成されており、その一端である端部１３３に環状部１３２が設けられている。棒状部１３１及び環状部１３２は、互いに一体となって形成されていてもよいし、別々に形成されて溶接等により固定されていてもよい。
【００２２】
環状部１３２は、環状部１１２と同様に環の形（例えば真円又は楕円の環の形）に形成された部材である。環状部１３２は、受け部材１１の環状部１１２と互いの孔に互いの環の部分を通す状態、すなわち環状部１１２と鎖状に繋げられた状態となるように形成されている。つまり、環状部１３２は、固定部材１３のうちの受け部材１１と連結される部分であり、本発明の「連結部」の一例である。また、環状部１１２は本発明の「第１環状部」の一例であり、環状部１３２は本発明の「第２環状部」の一例である。
【００２３】
受け部材１１は、上記のとおり連結部として機能する環状部１３２に連結されることで、その環状部１３２からの距離が制限されている。具体的には、環状部１１２及び環状部１３２が連結された状態において環状部１１２の内周又は円盤部１１１の環状部１１２側の面が環状部１３２から最も離れる距離以下となるように、環状部１３２から受け部材１１までの距離が制限されている。
【００２４】
また、環状部１１２及び環状部１３２は、上記のとおり鎖状に繋げられているだけなので、双方の相対的な位置が固定されるわけではない。例えば、環状部１３２から見て、環状部１１２が、真上に位置することもあれば、斜め上に位置することも、反対側の斜め上に位置することもある。このように、環状部１１２及び環状部１３２は、双方の形状に応じた範囲で相対的な位置を変えることができるようになっている。
【００２５】
従って、その環状部１１２を備える受け部材１１は、環状部１３２に対する相対的な位置が固定されていない。そのため、受け部材１１は、環状部１３２に対する相対的な位置を連続的に変化させることで、例えば環状部１３２を中心として弧を描くように動いたり、円を描くように動いたりすることができるようになっている。つまり、環状部１３２は、受け部材１１が搖動可能な状態でその受け部材１１と連結されている。
【００２６】
筒部２２は、円筒部２２１と、底部２２２とを備える。円筒部２２１は、円筒状の部材であり、底部２２２は、円盤状の部材である。円筒部２２１及び底部２２２は、互いに一体となって形成されていてもよいし、別々に形成されて溶接等により結合されていてもよい。円筒部２２１の一方の開口部に底部２２２が設けられているため、筒部２２は、コップのように１つの開口部を有する器の形をしている。棒状部１３１の端部１３４は、この底部２２２の中央２２３に溶接等を施されて固定されている。
【００２７】
バネ１２は、弾性を有する部材であり、本発明の「弾性部材」の一例である。バネ１２は、棒状部１３１及び上述した連結部である環状部１３２の周囲を囲んで設けられ、一端である端部１２２が指輪１の本体２に対して溶接等により固定されている。バネ１２は、螺旋状に形成された１つのつるまきバネ（コイルバネ）であり、螺旋の中心を通る軸の位置に棒状部１３１及び環状部１３２が配置されるように設けられている。言い換えると、棒状部１３１及び環状部１３２が、バネ１２の中心に配置されるように設けられている。
【００２８】
また、バネ１２は、他端である受け部材１１側の端部１２１が受け部材１１に接触するように設けられている。ただし、本実施例では、この端部１２１が、受け部材１１（の円盤部１１１）と接触しているが、受け部材１１に固定はされていない。バネ１２は、両端に力が加わっていない自然な状態での長さが本体２及び円盤部１１１の距離よりも長くなっており、そのため、円盤部１１１に対して本体２から離れる方向に力を常に加える状態になっている。
【００２９】
受け部材１１は、上記のとおり環状部１３２に連結されているので環状部１３２から離れることはないが、指輪１が移動したときの遠心力及び慣性の力等によって環状部１３２を中心としていずれかの方向に傾こうとする。ここでいう「傾く」とは、筒部２２の底部２２２の面と、受け部材１１の円盤部１１１の面とが平行でなくなって角度を成すことを意味する。そのとき、受け部材１１は、自部材が傾いた方向に存在するバネ１２を押すことになる。この動きを契機として受け部材１１は揺動を開始する。
【００３０】
図４は受け部材１１が揺動する様子の一例を表す。図４（ａ）では、静止状態の装飾部材３、受け部材１１及びバネ１２が表されている。図４（ｂ）では、受け部材１１及び装飾部材３が揺動方向Ｃ１に動いた状態が表されており、図４（ｃ）では、受け部材１１及び装飾部材３が揺動方向Ｃ１の反対向きの揺動方向Ｃ２に動いた状態が表されている。図４（ｂ）の状態では、バネ１２の揺動方向Ｃ１側にある部分は、受け部材１１によって押されて縮むので、受け部材１１を押し返す。この押し返す力を受けた受け部材１１は、図４（ｃ）の揺動方向Ｃ２に向けて傾く。
【００３１】
図４（ｃ）の状態では、バネ１２の揺動方向Ｃ２側にある部分は、受け部材１１によって押されて縮むので、受け部材１１を押し返す。この押し返す力を受けた受け部材１１は、図４（ｂ）の揺動方向Ｃ１に向けて傾く。このように、バネ１２は、受け部材１１から押されると押された側が変形して受け部材１１を押し返す。すると、受け部材１１は、固定部材１３の環状部１３２を中心として反対側に傾いてバネ１２の反対側を押す状態になる。この一連の動きが次第に小さくなりながら収束するまで繰り返されることで、装飾部材３及び受け部材１１が揺動する。以上のとおり、バネ１２及び固定部材１３は、受け部材１１を揺動可能に支持している。
【００３２】
受け部材１１及び固定部材１３は、上述した接続部材である環状部１３２及び環状部１１２によって連結されている。環状部材が鎖状に繋げられた状態では、一方の環状部材が形成する環を含む平面（環状部材には太さがあるので、厳密に言うと環状部材の芯が形成する環を含む平面）に沿った方向に他方の環状部材が移動する場合は環状部材同士がぶつからないため大きく移動できる。ここでいう平面に沿った方向とは、その平面と交わらない方向のことをいう。この方向について図５を参照して説明する。
【００３３】
図５は環状部１１２及び１３２を拡大して表す。図５（ａ）では、環状部１３２が形成する環を含む平面に沿った揺動方向Ｃ３が表されており、図５（ｂ）では、環状部１１２が形成する環を含む平面に沿った揺動方向Ｃ４が表されている。受け部材１１が揺動方向Ｃ３及びＣ４に揺動する場合、環状部１１２及び環状部１３２はこすれ合うことはあっても互いにぶつかることはない。一方、前述の平面と交わる方向に受け部材１１が揺動する場合、環状部材同士がぶつかり合うため、前述の平面に沿った方向に揺動する場合に比べて、揺動する範囲が小さくなる。
【００３４】
従って、宝石支持ユニット１０においては、環状部１３２が形成する環を含む平面に沿った方向及び環状部１１２が形成する環を含む平面に沿った方向に受け部材１１が揺動したときの振幅が他の方向（それら以外の方向）に揺動したときの振幅よりも大きくなる。つまり、上述した連結部である環状部１３２は、受け部材１１が揺動する方向によって振幅を異ならせるように受け部材１１と連結されている。
【００３５】
本実施例では、弾性部材であるバネ１２が受け部材１１に取り付けられた装飾部材３を揺動可能に支持している。これに対し、装飾部材を振り子のように支持して揺動させることが考えられるが、その場合、振り子の支点が鉛直方向に並ぶ状態になると、装飾部材の往復運動に重力が寄与しなくなるので、装飾部材が揺動しなくなる。一方、弾性部材の場合は、弾性部材が変形して戻る力が再び弾性部材を変形させる力に使われるため、どの方向に向いていても往復運動を生じさせることができる。本実施例では、そのような弾性部材であるバネ１２が装飾部材３を揺動可能に支持するので、装身具が動いたときに装身具の向きによらず装飾部材を揺動させることができる。
【００３６】
また、本実施例では、連結部である環状部１３２が受け部材１１及び固定部材１３を連結し、受け部材１１及び環状部１３２の距離を制限している。一方、環状部１３２を含む固定部材１３は、上記のとおり受け部材１１に対して通常加わることが想定される力では変形しない程度の剛性を有している。このため、本実施例では、この力を超えるような過度の力が受け部材１１に加わらない限り、装飾部材３が筒部２２から飛び出してしまうことを防ぐことができる。
【００３７】
また、本実施例では、上記のとおり、環状部１３２が、受け部材１１が揺動する方向によって振幅を異ならせるように受け部材１１と連結されているため、装飾部材が大きく揺れる方向（他の方向に比べて大きく揺れる方向ということ）を偏らせることができる。その結果、例えば本体に対して特定の方向にだけ装飾部材が大きく揺れるようにするというように、装飾部材が大きく揺れる方向も含めて装身具をデザインすることができる。
【００３８】
［２］第２実施例
以下、本発明の第２実施例について、第１実施例とは異なる点を中心に説明する。
図６は第２実施例の宝石支持ユニット１０ａを表す。図６では、指輪１ａの本体２ａの一部である筒部２２ａに取り付けられる前の宝石支持ユニット１０ａが表されている。宝石支持ユニット１０ａは、装飾部材３ａを揺動可能に支持するユニットであり、本発明の「支持ユニット」の一例である。
【００３９】
宝石支持ユニット１０ａは、受け部材１１ａと、バネ１２ａと、固定部材１４とを備える。受け部材１１ａは、環状の部材であり、中央に孔部１１４を有する。受け部材１１ａには、装飾部材３ａが取り付けられる。装飾部材３ａは、宝石４及び石枠５ａを備える。石枠５ａは、爪５１及び台座５２ａを有する。台座５２ａは、中央に孔部５２１ａを有する。
【００４０】
固定部材１４は、指輪１ａの本体２ａに対して固定される部材である。固定部材１４は、中央に孔部１４１を有する環状の部材であり、外周が筒部２２ａの内周面に溶接等を施されて固定されている。筒部２２ａは、第１実施例の筒部２２とは異なり、底部を有しないで、２つの開口部を有する筒の形をしている。前述した台座５２ａ、受け部材１１ａ及び固定部材１４の各孔部（孔部５２１ａ、孔部１１４及び孔部１４１）は、筒部２２ａの軸方向Ｂ１に並ぶように配置されているため、装飾部材３ａが宝石支持ユニット１０ａとともに本体２ａに取り付けられると、宝石４のキューレット４１及びその周辺はこれらの孔部を通して筒部２２ａの外側から見えるようになっている。
【００４１】
バネ１２ａは、一端である端部１２２ａが本体２ａに対して固定され、他端である端部１２１ａが受け部材１１ａに接触するバネであり、本発明の「弾性部材」の一例である。第１実施例では、受け部材１１側の端部１２１は受け部材１１に接触するだけで固定されていなかったが、本実施例の一端である端部１２１ａは、受け部材１１ａに接触するだけではなく、固定されている。
【００４２】
また、バネ１２ａの他端である端部１２２ａは、固定部材１４に固定されている。この固定部材１４は、上記のとおり本体２ａに対して固定されているから、バネ１２ａの端部１２２ａは、固定部材１４を介して本体２ａに固定されている。このように両端が固定されていることにより、バネ１２ａは、受け部材１１ａを揺動可能に支持している。
【００４３】
バネ１２ａは、長手方向Ａ１に延伸する延伸部を有する。ここでいう延伸部とは、真っ直ぐな棒状のものはもちろん、部分的には曲がっていても、全体として長手方向Ａ１に延伸するものも含んでいる。例えばバネ１２ａは、つるまきバネ（コイルバネ）であり、一部を拡大して見れば螺旋の形をしているが、全体としては長手方向Ａ１に延伸する形をしている。このように、バネ１２ａは、全体が延伸部となっている。
【００４４】
バネ１２ａは、受け部材１１ａが有する面（下向きの面）に対して長手方向Ａ１が垂直になる向きで固定されている。また、宝石支持ユニット１０ａは、バネ１２ａの長手方向Ａ１が筒部２２ａの軸方向Ｂ１に沿った方向となるように本体２ａに取り付けられる。ただし、受け部材１１ａ及び受け部材１１ａに取り付けられた装飾部材３ａの重さにより、バネ１２ａは真っ直ぐではなく少し曲がった状態になる。この状態について詳しく説明する。
【００４５】
図７は筒部２２ａへの取り付け後の宝石支持ユニット１０ａを表す。バネ１２ａは、装飾部材３ａ（宝石４及び石枠５ａ）が取り付けられた状態の受け部材１１ａを長手方向Ａ１に見た場合に、装飾部材３ａ及び受け部材１１ａの質量重心Ｇ１と重ならない位置である固定位置１１５に端部１２１ａが固定されている。そのため、バネ１２ａの端部１２１ａには、長手方向Ａ１が重力方向を向いた場合に、装飾部材３ａ及び受け部材１１ａから受ける荷重により端部１２１ａに曲げモーメントが生じる。
【００４６】
この曲げモーメントによりバネ１２ａの端部１２１ａ側は質量重心Ｇ１の方にわずかに傾き、端部１２１ａに固定されている受け部材１１ａ及び装飾部材３ａも同様に傾くようになっている。なお、以下では、説明を簡潔にするため、特に断らない限り、長手方向Ａ１が鉛直（重力方向）に沿うように装身具が保持されている状態、つまり長手方向Ａ１を鉛直に向けた状態であるものとする。
【００４７】
ユーザの指が動いて指輪１ａが動くと、固定部材１４に固定されたバネ１２ａの端部１２２ａが移動したり向きを変えたりする。すると、反対の端部１２１ａに固定された受け部材１１ａ及び装飾部材３ａが慣性の働きで今の位置に留まろうとするため、端部１２１ａに受け部材１１ａ及び装飾部材３ａから力が加わる。その力により、端部１２２ａを支点としてバネ１２ａがしなり、端部１２１ａに固定された受け部材１１ａ及びその受け部材１１ａに取り付けられた装飾部材３ａの揺動が開始される。このとき、揺動する方向によって、受け部材１１ａ及び装飾部材３ａの振幅に違いが生じる。
【００４８】
図８は揺動する受け部材１１ａ及び装飾部材３ａを表す。図８（ａ）では、図７と同じ向きに見た静止状態の装飾部材３ａ、受け部材１１ａ及びバネ１２ａと、装飾部材３ａ及び受け部材１１ａの質量重心Ｇ１とが表されている。質量重心Ｇ１には、重力Ｇ１０が加わっている。図８（ｂ）では、受け部材１１ａ及び装飾部材３ａが揺動方向Ｃ１１（バネ１２ａの端部１２１ａの固定位置１１５から質量重心Ｇ１側に向かう方向）に揺動したときの振幅Ｌ１１が表されている。
【００４９】
この揺動方向Ｃ１１は、前述したようにバネ１２ａが静止状態でも質量重心Ｇ１の方に傾いているため、揺動の開始時点から水平方向とは鉛直下向きに角度を成す方向となっている。そのため、揺動の開始時点においては、図８（ａ）に表す静止状態と同様に揺動方向Ｃ１１に重力Ｇ１０の分力Ｇ１１が生じた状態になっている（静止状態ではこの分力Ｇ１１とは反対向きの力をバネ１２ａが加えて釣り合わせている）。この揺動方向Ｃ１１への揺動が始まると、バネ１２ａの傾きが次第に大きくなり、揺動方向Ｃ１１と水平方向とが成す角度が大きくなる。そのため、重力Ｇ１０の揺動方向Ｃ１１への分力も次第に増加し、この増加した分力が揺動の振幅を大きくする力として働くことになる。
【００５０】
一方、図８（ｃ）では、受け部材１１ａ及び装飾部材３ａが揺動方向Ｃ１１とは反対向きの揺動方向Ｃ１２（質量重心Ｇ１から固定位置１１５側に向かう方向）に揺動したときの振幅Ｌ１２が表されている。この揺動方向Ｃ１２への揺動が始まると、揺れが或る程度大きければ、バネ１２ａの傾きが次第に小さくなり、バネ１２ａが一度鉛直方向に沿った状態になってから反対側に傾いた状態になる。その場合、バネ１２ａが反対側に傾き始めてから揺動方向Ｃ１２への分力が生じるようになる。この揺動方向Ｃ１２への分力が生じるタイミングは、揺動方向Ｃ１１に揺動する場合に揺動方向Ｃ１１への分力が増加するタイミング（揺動を開始してからすぐに増加し始める）よりも遅いので、揺動方向Ｃ１１に揺動する場合の振幅Ｌ１１に比べて、揺動方向Ｃ１２に揺動する場合の振幅Ｌ１２は小さくなる。
【００５１】
図９は受け部材１１ａ及び装飾部材３ａの振幅の分布を表す。より詳細には、図９では、受け部材１１ａ及び装飾部材３ａが静止状態からあらゆる方向に同じ大きさの力が加えられて揺動を開始したときの振幅の分布を表す図形として、揺動した受け部材１１ａ及び装飾部材３ａの質量重心Ｇ１が到達する位置を結ぶ閉曲線Ｈ１が表されている。また、図９では、静止状態の質量重心Ｇ１と、受け部材１１ａ及び装飾部材３ａが図８（ｂ）に表す揺動方向Ｃ１１に揺動したときの振幅Ｌ１１と、図８（ｃ）に表す揺動方向Ｃ１２に揺動したときの振幅Ｌ１２とが表されている。
【００５２】
図９の例では、閉曲線Ｈ１が楕円形をしている。そのため、受け部材１１ａ及び装飾部材３ａが揺動する方向によってその振幅が変化することになる。なお、閉曲線Ｈ１の形は、受け部材１１ａ及び装飾部材３ａの形、質量及びバネ１２ａの弾性率等の要素により変化する。しかし、閉曲線Ｈ１が仮に円形であっても、静止状態のときの質量重心Ｇ１の位置は円の中心からずれることになる。なぜなら、図８の説明で述べたように、揺動方向Ｃ１１及びＣ１２では振幅が必ず異なるからである。そのため、円形の閉曲線Ｈ１ができる場合であっても、受け部材１１ａ及び装飾部材３ａが揺動する方向によってその振幅が変化することになる。
【００５３】
このように、バネ１２ａは、装飾部材３ａが取り付けられた状態で受け部材１１ａが揺動すると、端部１２１ａに同じ大きさの力が加わって揺動を開始したとしても、揺動する方向によって振幅が異なるように受け部材１１ａを支持している。より詳細には、バネ１２ａは、長手方向Ａ１を鉛直に向けた場合でも、揺動する方向によって振幅が異なるように受け部材１１ａを支持している。図８の例では、バネ１２ａは、揺動方向Ｃ１１に揺動する場合の振幅Ｌ１１が、揺動方向Ｃ１２に揺動する場合の振幅Ｌ１２よりも大きくなっている。
【００５４】
なお、図９の例は、上述したようにバネ１２ａの長手方向Ａ１を鉛直に向けた状態における振幅の分布を表している。この長手方向Ａ１を鉛直以外の方向に向けた状態においては、振幅の分布は変化する。しかし、図８の説明で述べたように静止状態において或る方向への重力の分力が生じている場合には、その方向を揺動方向とする場合の振幅が、その反対方向を揺動方向とする場合の振幅よりも大きくなるから、揺動する方向によって振幅が異なるという点に変わりはない。
【００５５】
本実施例では、弾性部材であるバネ１２ａが装飾部材３ａを揺動可能に支持している。これにより、第１実施例と同様に、装身具が動くと装身具の向きによらず装飾部材が揺れるようにすることができる。また、本実施例では、上記のとおり同じ大きさの力が加えられた場合でも装飾部材３ａが揺動する方向によって振幅が異なるようになっているため、装飾部材３ａが他の方向に比べて大きく揺れる方向を偏らせることができる。これにより、第１実施例と同様に、装飾部材が揺れる方向も含めて装身具をデザインすることができる。
【００５６】
また、指輪１ａにおいては、バネ１２ａの位置が宝石支持ユニット１０ａ毎に異なっている。
図１０は複数の宝石支持ユニット１０ａにおけるバネ１２ａの配置を表す。図１０では、筒部２２ａの軸方向Ｂ１から見た筒部２２ａ−１、２２ａ−２、２２−３と宝石支持ユニット１０ａ−１、１０ａ−２、１０ａ−３とが表されている。図１０では、各宝石支持ユニット１０ａのバネ１２ａの位置が分かり易いように装飾部材３ａが省略されている。複数の筒部２２ａは、列方向Ｅ１に並んでいる。
【００５７】
筒部２２ａ−１では、バネ１２ａが受け部材１１ａの列方向Ｅ１の正方向側に固定されており、筒部２２ａ−３では、バネ１２ａが受け部材１１ａの列方向Ｅ１の負方向側に固定されている。また、筒部２２ａ−２では、バネ１２ａが受け部材１１ａの列方向Ｅ１に直交する直交方向Ｅ２の正方向側に固定されている。
【００５８】
ここで、バネ１２ａが支持する受け部材１１ａが揺動するときの振幅が最大となる方向を最大振幅方向というものとする。指輪１ａにおいては、バネ１２ａが図１０のように配置されていることで、各宝石支持ユニット１０ａにおける最大振幅方向がそれぞれ異なっている。これにより、指輪１ａが備える複数の装飾部材３ａ毎にそれらの装飾部材が最も大きく揺れる方向を異ならせることができる。
【００５９】
［３］変形例
上述した各実施例はそれぞれ本発明の実施の一例に過ぎず以下のように変形させてもよい。また、各実施例及び各変形例は必要に応じてそれぞれ組み合わせて実施してもよい。
【００６０】
［３−１］装身具
装身具は、上述した指輪に限らず、ネックレス、ペンダント、イヤリング、ティアラ、ブレスレット及びブローチ等の各種のアクセサリーであってもよい。
図１１は本変形例の装身具の一例を表す。図１１では、ペンダント１ｂが表されている。ペンダント１ｂは、本体２ｂと３つの装飾部材３ａ（第２実施例で説明した装飾部材）とを備える。本体２ｂは、３つの筒部２２ａ（第２実施例で説明した筒部）を備え、装飾部材３ａは第２実施例と同様にそれぞれ筒部２２ａに取り付けられている。
【００６１】
ペンダント１ｂを装着した場合、本体２ｂを持ち上げると、第２実施例で述べたように筒部２２ａの裏側から内部に光が入るようになる。その場合、筒部の裏側から入った光が図７に表す台座５２ａ、受け部材１１ａ及び固定部材１４の各孔部（孔部５２１ａ、孔部１１４及び孔部１４１）を通して宝石４に到達する。そのため、宝石４を裏側から入射した光によっても輝かせることができる。これは、筒部の裏側（装飾部材が取り付けられているのとは反対側）が装着者の身体で隠れない装身具（例えばイヤリング及びティアラ等）の場合も同様である。なお、第１実施例の筒部、装飾部材及び宝石支持ユニットも他の装身具に用いられてもよい。
【００６２】
［３−２］装飾部材
上記の各実施例では、装身具が備える装飾部材３の数が３つであったが、これに限らない。装身具は、装飾部材を１つだけ備えていてもよいし、２つ又は４つ以上備えていてもよい。また、装身具が２以上の装飾部材を備える場合に、それらは実施例のように１列に並んでいなくてもよい。２以上の装飾部材は例えば２以上の列ができるように並んでいてもよいし、１つ１つが離れていてもよいし、不規則に配置されていてもよい。
【００６３】
また、装飾部材は、実施例では宝石及び石枠のセットであったが、これに限らず、宝石だけでもよいし、石枠だけでもよい。また、装飾部材は、宝石のイミテーションであってもよいし、木又は樹脂を用いた飾り物であってもよい。要するに、人が装飾のために身につけるものであれば、どのようなものが装飾部材として用いられてもよい。
【００６４】
［３−３］最大振幅方向のずれ
第２実施例においては、各宝石支持ユニット１０ａにおける最大振幅方向がそれぞれ異なっていたが、これに限らず、それらの最大振幅方向が一致していてもよい。また、それらの最大振幅方向のうち一部だけが他と異なっていてもよい。その場合、少なくとも、第１の宝石支持ユニット１０ａ（例えば宝石支持ユニット１０ａ−１）における最大振幅方向と、第２の宝石支持ユニット１０ａ（例えば宝石支持ユニット１０ａ−２）における最大振幅方向とが異なっていればよい。
【００６５】
また、第１実施例においても、上述したとおり受け部材１１が揺動する方向によって振幅が異なるように受け部材１１及び固定部材１３を接続されているから、第１の宝石支持ユニット１０（例えば宝石支持ユニット１０−１）における最大振幅方向と、第２の宝石支持ユニット１０（例えば宝石支持ユニット１０−２）における最大振幅方向とが異なっていてもよい。このように最大振幅方向が異なる宝石支持ユニットが１つでも含まれていれば、装身具が備える複数の装飾部材において、装飾部材が最も大きく揺れる方向に変化をつけることができる。
【００６６】
［３−４］第２実施例における弾性部材
第２実施例においては、弾性部材としてつるまきバネ（コイルバネ）を用いる例を説明したが、これに限らない。例えば弾性を有する棒状部材を用いてもよいし、板バネを用いてもよい。板バネを用いる場合、その一端を受け部材に固定する固定位置が実施例と異なっていてもよい。
【００６７】
例えば第２実施例では、バネ１２ａが、装飾部材３が取り付けられた状態の受け部材１１ａを長手方向Ａ１に見た場合に、装飾部材３及び受け部材１１ａの質量重心Ｇ１と重ならない位置に端部１２１ａが固定されたが、板バネであれば、この質量重心Ｇ１と重なる位置に一端が固定されてもよい。
【００６８】
図１２は本変形例の宝石支持ユニット１０ｃを表す。宝石支持ユニット１０ｃは、受け部材１１ｃと、板バネ１２ｃと、固定部材１４ｃとを備える。受け部材１１ｃ及び固定部材１４ｃは、いずれも円盤の形をした部材であり、実施例のような孔部を有していない。受け部材１１ｃには装飾部材３ｃが取り付けられている。板バネ１２ｃは、一端（端部１２１ｃ）が受け部材１１ｃの中心に固定され、他端（端部１２２ｃ）が固定部材１４ｃの中心に固定されている。
【００６９】
この場合でも、板バネ１２ｃは、同じ力が加わった場合、自身が有する面の垂線方向に揺動する場合の方が、他の方向に揺動する場合に比べて振幅が大きくなる。このため、板バネ１２ｃは、長手方向を鉛直に向けた場合でも、揺動する方向によって振幅が異なるように受け部材１１ｃを支持している。従って、第２実施例と同様に、装飾部材が他の方向に比べて大きく揺れる方向を偏らせることができる。
【００７０】
なお、前述した棒状部材を板バネ１２ｃの代わりに用いてもよい。その場合、棒状部材は、いずれも長手方向に直交する第１直交方向と第２直交方向とで弾性率が異なる部材であればよい。例えば断面が楕円形の棒状部材であれば、短軸方向の方が長軸方向よりも弾性率が低くなるので、板バネ１２ｃの代わりとして用いることができる。その場合、装飾部材が長軸方向よりも単軸方向の方が大きく揺れることになり、上記の装飾部材が大きく揺れる方向を偏らせることができる。
【００７１】
［３−５］弾性部材の延伸部
第２実施例においては、弾性部材であるバネ１２ａは全体が延伸部（長手方向Ａ１に延伸する部分）となっていたが、これに限らず、弾性部材の一部だけが延伸部となっていてもよい。例えば延伸部の一端（受け部材１１ａに固定される方の端）又は延伸部の他端（固定部材１４に固定される方の端）に、長手方向Ａ１とは一定の角度を成すように折れ曲がった折れ曲がり部又は湾曲する湾曲部等が設けられ、それらの端に繋がる部分（折れ曲がり部又は湾曲部等）が受け部材１１ａ又は固定部材１４に固定されるといった具合である。
【００７２】
その場合でも、延伸部の一端は、その端に繋がる部分を介して受け部材１１ａに固定されればよいし、延伸部の他端は、その端に繋がる部分を介して固定部材１４に固定されればよい。このように、宝石支持ユニットが備える弾性部材は、全体が延伸部となっているものに限定されず、延伸部の端の先に、長手方向に延伸していない部分を有していてもよい。
【００７３】
また、延伸部の一端は、受け部材１１ａに直接固定されていなくてもよい。延伸部の一端は、前述した端に繋がる部分の他にも、例えばバネを差し込む筒状の部材を介して受け部材１１ａに固定されたり、バネの端を覆う樹脂部材を介して受け部材１１ａに固定されたりしてもよい。要するに、弾性部材が受け部材１１ａを揺動可能に支持できれば、延伸部の一端がどのように受け部材１１ａに固定されていてもよい。
【００７４】
［３−６］弾性部材の固定方法
第２実施例においては、弾性部材が有する延伸部が、受け部材が有する面に対して長手方向が垂直になる向きで固定されていたが、これに限らない。
図１３は本変形例の宝石支持ユニット１０ｄを表す。宝石支持ユニット１０ｄは、受け部材１１ｄと、バネ１２ｄと、固定部材１４ｄとを備える。受け部材１１ｄ及び固定部材１４ｄは、いずれも円盤の形をした板状の部材である。受け部材１１ｄには装飾部材３ｄが取り付けられている。
【００７５】
バネ１２ｄは、長手方向Ａ２つるまきバネであり、一端（端部１２１ｄ）が受け部材１１ｄの中心に固定され、他端（端部１２２ｄ）が固定部材１４ｄの中心から外れた位置に固定されている。つまり、バネ１２ｄは、長手方向Ａ２及び受け部材１１ｄの面の成す角度が９０度より小さくなるように固定されている。この例において、受け部材１１ｄ及び装飾部材３ｄが長手方向Ａ２に直交する方向のうち最も下向きの揺動方向Ｃ１５と最も上向きの揺動方向Ｃ１６（揺動方向Ｃ１５の反対向き）に揺動する場合を比較する。
【００７６】
揺動方向Ｃ１５に揺動する場合、図８の例における揺動方向Ｃ１１に揺動する場合と同様に、重力の分力が揺動の振幅を大きくする力として働くことになる。一方、揺動方向Ｃ１６に揺動する場合、この例では、図８の例に比べてバネ１２ｄの傾きが大きいため、バネ１２ｄが鉛直になるまで振動しないものとする。その場合、揺動方向Ｃ１６への分力が生じることなく振幅に達する。結果としては、図８の例と同様に、揺動方向Ｃ１５に揺動する場合の振幅に比べて、揺動方向Ｃ１６に揺動する場合の振幅が小さくなる。このように、本変形例においても、実施例と同様に、装飾部材が他の方向に比べて大きく揺れる方向を偏らせることができる。
【００７７】
［３−７］本体への固定方法
第２実施例においては、バネ１２ａの端部１２２ａに固定された固定部材１４が装身具の本体２ａに固定されていたが、これに限らない。例えば、端部１２２ａが装身具の本体２ａに直接固定されていてもよい。この場合でも、バネ１２ａの一端である端部１２２ａが装身具の本体２ａに対して固定されることになる。つまり、宝石固定ユニットが備える弾性部材は、一端が直接装身具の本体に固定されていても、他の部材を介して本体に固定されていてもよく、要するに一端が本体に対して固定されていて、反対側の他端が受け部材を揺動可能に支持できるようになっていればよい。
【００７８】
［３−８］連結構造
第１実施例において、固定部材及び受け部材の連結構造（両部材を連結する部分の構造）は上記のもの（環状部１３２及び環状部１１２）に限らない。例えば、受け部材が環状部を備えておらず、代わりに中央に孔のあいた円盤部を備え、その孔に孔の中心を通る棒状の部材を設け、その棒状の部材を環状部１３２の孔に通すようにして、環状部１３２及び受け部材を連結してもよい。
【００７９】
また、球体部材とその球体部材に球面接触するソケットとを有するいわゆるボールジョイントが連結構造として用いられてもよい。その場合、受け部材１１が揺動したときの振幅が方向によらず一定になる。なお、ボールジョイントの球面の抵抗にムラを与えることで、揺動する方向によって振幅が異なるようにしてもよい。また、連結構造として、ゴムのように変形する変形部材が連結構造として用いられてもよい。その場合、変形部材の形状を例えば円柱状にすることで受け部材１１が揺動したときの振幅が方向によらず一定にしてもよいし、角柱状にすることで揺動する方向によって変形に必要な力の大きさを変化させて振幅を異ならせるようにしてもよい。
【００８０】
［３−９］固定部材の固定方法
第１実施例において、固定部材の本体への固定方法は上述した方法に限らない。
図１４は本変形例の宝石支持ユニット１０ｅを表す。宝石支持ユニット１０ｅは、受け部材１１と、バネ１２と、固定部材１３ｅとを備える。固定部材１３ｅは、棒状部１３１と、環状部１３２と、円盤部１３５とを備える。棒状部１３１の端部１３４は、円盤状の部材である円盤部１３５の円形の面の中央に溶接等を施されて固定されている。
【００８１】
筒部２２ｅは、第２実施例の筒部２２ａと同様に、底部を有しないで、２つの開口部を有する筒の形をしている。円盤部１３５は、外周が筒部２２ｅの内周面に溶接等を施されて固定されている。第１実施例では固定部材の棒状部が直接本体に固定されていたが、本変形例のように、他の部材（この例では円盤部１３５）を介して本体に固定されていてもよい。また、本変形例では、バネ１２の一端である１２２が固定部材１３ｅの一部である円盤部１３５に溶接等で固定されている。このように、宝石固定ユニットが備える弾性部材は、本変形例のように一端が固定部材を介して本体に固定されていてもよい。
【００８２】
［３−１０］連結方法
受け部材及び固定部材の連結方法は上述したものに限らない。
図１５は本変形例の宝石支持ユニット１０ｆを表す。宝石支持ユニット１０ｆは、受け部材１１と、バネ１２と、固定部材１３ｆと、紐状部材１５とを備える。
【００８３】
紐状部材１５は、例えば針金やピアノ線のように金属で形成された紐状の部材である。なお、それに限らず、紐状部材１５は、釣り糸のように合成繊維で形成された紐状の部材であってもよい。固定部材１３ｆは、環の形をした環状の部材であり、筒部２２ｆの底部の中央に固定されている。紐状部材１５は、一端である端部１５１が受け部材１１の環状部１１２に接続され、他方の端部１５２が固定部材１３ｆに接続されている。
【００８４】
紐状部材１５の受け部材１１及び固定部材１３ｆへの接続は、例えば紐状部材１５の両端部を受け部材１１の環状部１１２及び固定部材１３ｆにそれぞれ結びつけることで行われる。なお、それに限らず、例えば紐状部材１５を環状部１１２及び固定部材１３ｆの両方を通す輪の形にしたり、紐状部材１５の端部を環状部１１２及び固定部材１３ｆに溶接等で固定したりすることで、この接続が行われてもよい。
【００８５】
本変形例では、固定部材１３ｆの全体が受け部材１１と連結される（詳細には紐状部材１５を介して連結される）連結部となる。この場合でも、第１実施例と同様に、受け部材１１が、連結部と連結されることでその連結部からの距離が制限されることになる。これにより、第１実施例と同様に、装飾部材３が筒部２２ｆから飛び出してしまうことを防ぐことができる。
【００８６】
また、本変形例のように連結部が紐状部材を介して受け部材と連結される場合は、受け部材と連結部との距離が紐状部材の分だけ離れるので、第１実施例のように紐状部材を介さずに受け部材及び連結部が連結される場合に比べて、揺動する受け部材の軌跡が描く半径を大きくすることができ、装飾部材がゆっくり揺れるようにすることができる。反対に、第１実施例のように紐状部材を介さずに受け部材及び連結部が連結される場合は、紐状部材を介して連結される場合に比べて、揺動する受け部材の軌跡が描く半径を小さくすることができ、装飾部材が小刻みに速く揺れるようにすることができる。
【００８７】
［３−１１］第１実施例における弾性部材
第１実施例においては、１つのつるまきバネであるバネ１２が弾性部材として用いられ、螺旋の軸の位置に固定部材１３が配置されるようにバネ１２が設けられていたが、これに限らない。
【００８８】
例えば、径が異なる２以上のつるまきバネを同心円状に配置して設けてもよい。その場合、つるまきバネが１つの場合に比べて、バネが受け部材を押し返す力を強くすることができる。また、１つのつるまきバネの代わりに、１つの皿バネ（中央に孔が開いた円錐の形をしたバネ）が用いられてもよい。この場合、皿バネの中心に固定部材１３が配置するようにして、皿バネの外周面を円筒部２２１の内周に固定する。同様に、１つの竹の子バネ（長方形の板を円錐状に巻いたバネ）を用いて、その中心に固定部材１３を配置させてもよい。
【００８９】
また、複数のバネを固定部材１３の周囲に設けてもよい。その場合、傾いた受け部材１１が必ずいずれかのバネと接触するように複数のバネを配置させることが望ましい。そうすれば、受け部材１１がどの方向に傾いたとしても、傾いた受け部材１１により押されたバネが変形して受け部材１１を押し返し、次は反対側のバネが受け部材１１から押されて変形して受け部材１１を押し返すことで、受け部材１１が揺動する。複数のバネは、つるまきバネに限らず、例えば板バネや竹の子バネなどであってもよい。
【００９０】
以上のように、受け部材を揺動可能に支持するように設けられるものであれば、どのような弾性部材が用いられてもよい。なお、複数のバネを固定部材１３の周囲に設ける場合に、各バネの強さ（弾性率）を変化させることで、受け部材１１が揺動する方向によって受け部材１１が接触して変形するバネの弾性率を変化させて振幅が異なるようにしてもよい。
【００９１】
また、１つのバネ（つるまきバネ又は皿バネ）を固定部材１３の周囲を囲うように設ける場合に、例えばバネを円形ではなく楕円形にしたり、円形でも場所によって厚さを変化させたりすることで、受け部材１１が揺動する方向によってバネのうちの受け部材１１が接触して変形する部分の弾性率を変化させて受け部材１１の振幅が異なるようにしてもよい。
【００９２】
［３−１２］弾性部材と受け部材の固定の有無
第１実施例においては、宝石支持ユニットが、弾性部材であるバネ１２と受け部材１１とが固定されていない第１構成を備えていたが、これらが固定されている第２構成を備えていてもよい。第１構成の場合、受け部材１１及びバネ１２の接触箇所においてすべりが発生するが、第２構成の場合、その接触箇所（固定された箇所）においてすべりが発生しない。
【００９３】
宝石支持ユニットが第１構成を備える場合、受け部材１１を揺動させるエネルギーの一部が発生したすべりにより生じる熱エネルギーに変換されるが、第２構成を備える場合は、この熱エネルギーが生じない。そのため、宝石支持ユニットが第１構成を備える場合は、第２構成を備える場合に比べて、受け部材１１を揺動させるエネルギーが早く減少するので、揺動を早く収束させること、すなわち揺動を早く終わらせることができる。
【００９４】
反対に、宝石支持ユニットが第２構成を備える場合は、第１構成を備える場合に比べて、受け部材１１を揺動させるエネルギーの減少速度が緩やかなので、揺動が収束するまでの時間を長くすること、すなわち揺動を長く続けさせることができる。このように、弾性部材及び受け部材の固定の有無により、受け部材の揺動時間を変化させることができる。
【００９５】
［３−１３］宝石の取り付け方法
上記の各例では宝石４を石枠５に固定して宝石支持ユニットに取り付けたが、石枠５を用いずに宝石４を直接宝石支持ユニットに取り付けてもよい。また、宝石支持ユニットの受け部材を石枠の形にして、その受け部材に宝石を取り付けてもよい。
【００９６】
［３−１４］筒部
筒部は、上記の各例とは異なっていてもよい。例えば、筒の断面が円形ではなく楕円形であったり、三角形及び四角形等の多角形の形であったりしてもよい。また、筒部を設けることで、宝石支持ユニットが外部から見えないようにしていたが、筒部を透明にすることであえて宝石支持ユニットが外部から見えるようにしてもよい。
【００９７】
また、筒部を設けることで、弾性部材が何かに触れて損傷するということがないようになっていたが、例えば受け部材の円盤部の外周に筒状の部材の内周を固定してその筒状の部材によって弾性部材を囲うことで、筒部を設けなくても弾性部材の損傷を防げるようにしてもよい。その場合、弾性部材及び固定部材は、筒部以外の本体（アーム等）に対して固定されればよい。
【符号の説明】
【００９８】
１…指輪、１ｂ…ペンダント、２…本体、３…装飾部材、４…宝石、５…石枠、１０…宝石支持ユニット、１１…受け部材、１２…バネ、１２ａ…板バネ、１３…固定部材、１４…固定部材、１５…紐状部材、２１…アーム、２２…筒部。
【図１】
2018086181.tif 000003
【図２】
2018086181.tif 000004
【図３】
2018086181.tif 000005
【図４】
2018086181.tif 000006
【図５】
2018086181.tif 000007
【図６】
2018086181.tif 000008
【図７】
2018086181.tif 000009
【図８】
2018086181.tif 000010
【図９】
2018086181.tif 000011
【図１０】
2018086181.tif 000012
【図１１】
2018086181.tif 000013
【図１２】
2018086181.tif 000014
【図１３】
2018086181.tif 000015
【図１４】
2018086181.tif 000016
【図１５】
2018086181.tif 000017
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
装身具を装飾する装飾部材が取り付けられる受け部材と、
前記受け部材を揺動可能に支持する弾性部材であって、一端が前記装身具の本体に対して固定され、他端が前記受け部材に接触する弾性部材と、
前記本体に対して固定される固定部材であって、前記受け部材が揺動可能な状態で当該受け部材と連結される連結部を有する固定部材と
を備え、
前記受け部材は、前記連結部と連結されることで当該連結部からの距離が制限され、
前記弾性部材は、前記連結部の周囲を囲んで設けられ、
前記固定部材は、前記弾性部材の中心に配置される棒状部を有し、当該棒状部の一端に前記連結部を有する
支持ユニット。
【請求項２】
前記受け部材は、前記弾性部材のみによって、又は、前記弾性部材及び前記固定部材のみによって、揺動可能に支持されている
請求項１に記載の支持ユニット。
【請求項３】
装身具を装飾する装飾部材が取り付けられる受け部材と、
前記受け部材を揺動可能に支持する弾性部材であって、一端が前記装身具の本体に対して固定され、他端が前記受け部材に接触する弾性部材と、
前記本体に対して固定される固定部材であって、前記受け部材が揺動可能な状態で当該受け部材と連結される連結部を有する固定部材と
を備え、
前記受け部材は、前記連結部と連結されることで当該連結部からの距離が制限され、
前記弾性部材は、前記連結部の周囲を囲んで設けられ、
前記連結部は、前記受け部材が揺動する方向によって振幅を異ならせるように当該受け部材と連結されている
支持ユニット。
【請求項４】
装身具を装飾する装飾部材が取り付けられる受け部材と、
前記受け部材を揺動可能に支持するコイルバネであって、一端が前記装身具の本体に対して固定され、他端が前記受け部材に固定されずに接触するコイルバネと、
前記本体に対して固定される固定部材であって、前記受け部材が揺動可能な状態で当該受け部材と連結され且つ前記コイルバネが周囲を囲む位置に設けられる連結部を有し、前記受け部材の前記連結部からの距離を制限し、当該距離が最大の状態で前記コイルバネの長さが自然長以下になる固定部材と
を備える支持ユニット。
【請求項５】
装身具を装飾する装飾部材が取り付けられる受け部材と、
前記受け部材を揺動可能に自部材だけで支持する弾性部材であって、一端が前記装身具の本体に対して固定され、他端が前記受け部材に接触し、前記装飾部材が取り付けられた前記受け部材を、当該受け部材が揺動する方向によって振幅が異なるように支持する弾性部材と
を備える支持ユニット。
【請求項６】
請求項１から５のいずれか１項に記載の支持ユニットと、
前記支持ユニットの前記受け部材に取り付けられている装飾部材と、
前記支持ユニットが取り付けられている本体と
を備える装身具。
【請求項７】
前記本体には第１の前記支持ユニット及び第２の前記支持ユニットが取り付けられており、
前記第１の支持ユニット及び前記第２の支持ユニットが備える前記受け部材は、揺動する方向によって振幅が異なるように支持され、
前記第１の支持ユニットの前記受け部材が揺動するときの振幅が最大となる方向と、前記第２の支持ユニットにおける当該方向とが異なる
請求項６に記載の装身具。
【手続補正２】
【補正対象書類名】明細書
【補正対象項目名】０００５
【補正方法】変更
【補正の内容】
【０００５】
本発明は、装身具を装飾する装飾部材が取り付けられる受け部材と、前記受け部材を揺動可能に支持する弾性部材であって、一端が前記装身具の本体に対して固定され、他端が前記受け部材に接触する弾性部材と、前記本体に対して固定される固定部材であって、前記受け部材が揺動可能な状態で当該受け部材と連結される連結部を有する固定部材とを備え、前記受け部材は、前記連結部と連結されることで当該連結部からの距離が制限され、前記弾性部材は、前記連結部の周囲を囲んで設けられ、前記固定部材は、前記弾性部材の中心に配置される棒状部を有し、当該棒状部の一端に前記連結部を有する支持ユニットを提供する。
【手続補正３】
【補正対象書類名】明細書
【補正対象項目名】０００６
【補正方法】変更
【補正の内容】
【０００６】
また、前記受け部材は、前記弾性部材のみによって、又は、前記弾性部材及び前記固定部材のみによって、揺動可能に支持されていてもよい。
【手続補正４】
【補正対象書類名】明細書
【補正対象項目名】０００７
【補正方法】変更
【補正の内容】
【０００７】
本発明は、装身具を装飾する装飾部材が取り付けられる受け部材と、前記受け部材を揺動可能に支持する弾性部材であって、一端が前記装身具の本体に対して固定され、他端が前記受け部材に接触する弾性部材と、前記本体に対して固定される固定部材であって、前記受け部材が揺動可能な状態で当該受け部材と連結される連結部を有する固定部材とを備え、前記受け部材は、前記連結部と連結されることで当該連結部からの距離が制限され、前記弾性部材は、前記連結部の周囲を囲んで設けられ、前記連結部は、前記受け部材が揺動する方向によって振幅を異ならせるように当該受け部材と連結されている支持ユニットを提供する。
【手続補正５】
【補正対象書類名】明細書
【補正対象項目名】０００８
【補正方法】変更
【補正の内容】
【０００８】
本発明は、装身具を装飾する装飾部材が取り付けられる受け部材と、前記受け部材を揺動可能に支持するコイルバネであって、一端が前記装身具の本体に対して固定され、他端が前記受け部材に固定されずに接触するコイルバネと、前記本体に対して固定される固定部材であって、前記受け部材が揺動可能な状態で当該受け部材と連結され且つ前記コイルバネが周囲を囲む位置に設けられる連結部を有し、前記受け部材の前記連結部からの距離を制限し、当該距離が最大の状態で前記コイルバネの長さが自然長以下になる固定部材と
を備える支持ユニットを提供する。
【手続補正６】
【補正対象書類名】明細書
【補正対象項目名】０００９
【補正方法】変更
【補正の内容】
【０００９】
本発明は、装身具を装飾する装飾部材が取り付けられる受け部材と、前記受け部材を揺動可能に自部材だけで支持する弾性部材であって、一端が前記装身具の本体に対して固定され、他端が前記受け部材に接触し、前記装飾部材が取り付けられた前記受け部材を、当該受け部材が揺動する方向によって振幅が異なるように支持する弾性部材とを備える支持ユニットを提供する。
【手続補正７】
【補正対象書類名】明細書
【補正対象項目名】００１０
【補正方法】変更
【補正の内容】
【００１０】
また、本発明は、上記の支持ユニットと、前記支持ユニットの前記受け部材に取り付けられている装飾部材と、前記支持ユニットが取り付けられている本体とを備える装身具を提供する。